(57)【要約】【課題】  簡易な構成により効率的に残留電荷を除去する【解決手段】  電気光学装置１０は、複数の走査線３１２と複数のデータ線２１２との各交差に対応して設けられた画素１１６と、画素１１６の駆動の停止を指示する表示停止信号Ｓoffが入力された後のオフシーケンス期間において各走査線３１２を複数回にわたり選択して選択電圧を印加する走査線駆動回路３５０と、走査線駆動回路３５０によって各走査線３１２に印加される選択電圧をオフシーケンス期間において時間の経過とともに低下させる制御回路４００および電圧生成回路５００と、複数のデータ線２１２の各々に対し、当該データ線２１２と走査線駆動回路３５０により選択された走査線３１２との交差に対応する画素１１６の階調に応じた電圧を印加する一方、オフシーケンス期間においては各データ線２１２に対して非点灯電圧を印加するデータ線駆動回路２５０とを有する。【選択図】      図７
2005208261.tif 000002
【特許請求の範囲】
【請求項１】
複数の走査線と複数のデータ線との各交差に対応して設けられた画素と、
前記複数の走査線の各々を順次に選択して選択電圧を印加する回路であって、表示の停止を指示する表示停止信号が入力された後のオフシーケンス期間において前記各走査線を複数回にわたり選択して選択電圧を印加する走査線駆動回路と、
前記走査線駆動回路によって前記各走査線に印加される選択電圧を前記オフシーケンス期間において時間の経過とともに低下させる電圧制御回路と、
前記複数のデータ線の各々に対し、当該データ線と前記走査線駆動回路により選択された走査線との交差に対応する画素の階調に応じた電圧を印加する一方、前記オフシーケンス期間においては前記各データ線に対して非点灯電圧を印加するデータ線駆動回路と
を具備することを特徴とする電気光学装置。
【請求項２】
前記走査線駆動回路は、前記表示停止信号が入力された後の複数の垂直走査期間を前記オフシーケンス期間として前記各走査線を複数回にわたり選択する一方、
前記電圧制御回路は、前記各走査線に印加される選択電圧を前記オフシーケンス期間の垂直走査期間ごとに低下させる
ことを特徴とする請求項１に記載の電気光学装置。
【請求項３】
前記電圧制御回路は、
前記オフシーケンス期間において前記各走査線に印加される選択電圧のレベルを指示する制御回路と、
前記制御回路により指示されたレベルの選択電圧を生成して前記走査線駆動回路に出力する電圧生成回路とを具備する
ことを特徴とする請求項１または２に記載の電気光学装置。
【請求項４】
請求項１から３の何れか一つに記載の電気光学装置を表示装置として備える電子機器。
【請求項５】
複数の走査線と複数のデータ線との各交差に対応して設けられた画素を有する電気光学装置の駆動回路において、
前記複数の走査線の各々を順次に選択して選択電圧を印加する回路であって、表示の停止を指示する表示停止信号が入力された後のオフシーケンス期間において前記各走査線を複数回にわたり選択して選択電圧を印加する走査線駆動回路と、
前記走査線駆動回路によって前記各走査線に印加される選択電圧を前記オフシーケンス期間において時間の経過とともに低下させる電圧制御回路と
を具備することを特徴とする電気光学装置の駆動回路。
【請求項６】
複数の走査線と複数のデータ線との各交差に対応して設けられた画素を有する電気光学装置を駆動する方法において、
前記複数の走査線の各々を順次に選択して選択電圧を印加する一方、表示の停止を指示する表示停止信号が入力された後のオフシーケンス期間において前記各走査線を複数回にわたり選択して選択電圧を印加し、
前記各走査線に印加される選択電圧を前記オフシーケンス期間において時間の経過とともに低下させ、
前記複数のデータ線の各々に対し、当該データ線と前記選択された走査線との交差に対応する画素の階調に応じた電圧を印加する一方、前記オフシーケンス期間においては前記各データ線に対して非点灯電圧を印加する
ことを特徴とする電気光学装置の駆動方法。
【発明の詳細な説明】
【技術分野】
【０００１】
本発明は、複数の画素の各々に蓄積された電荷を画像表示の停止時に除去する技術に関する。
【背景技術】
【０００２】
液晶などの電気光学物質を用いた電気光学装置は、電気光学物質とこれに電界を印加するための電極とを有する多数の画素が面状に配列された構成を有する。この種の電気光学装置において画像の表示が停止された後にも各画素の電極に電荷が残留していると、電気光学物質に直流電圧が印加され続けてその光学的特性の劣化を招き得る。この問題を解決するために、例えば特許文献１には、表示の停止が指示されると各画素の電極を予め定められた固定電位に接続し、これにより各画素に蓄積された電荷（以下「残留電荷」という）を除去する構成が開示されている。
【０００３】
【特許文献１】特開２０００−２８６６号公報（段落０１２０および０１２１）
【発明の開示】
【発明が解決しようとする課題】
【０００４】
しかしながら、この構成のもとでは、各画素の電極を固定電位に接続するための構成を各画素の駆動のための構成（画像を表示するための構成）とは別個に設ける必要があるため、電気光学装置の構造が複雑化するという問題が生じ得る。本発明は、このような事情に鑑みてなされたものであり、その目的は、簡易な構成により効率的に残留電荷を除去することにある。
【課題を解決するための手段】
【０００５】
この課題を解決するために、本発明は、複数の走査線と複数のデータ線との各交差に対応して設けられた画素と、複数の走査線の各々を順次に選択して選択電圧を印加する回路であって、表示の停止を指示する表示停止信号が入力された後のオフシーケンス期間において各走査線を複数回にわたり選択して選択電圧を印加する走査線駆動回路と、走査線駆動回路によって各走査線に印加される選択電圧をオフシーケンス期間において時間の経過とともに低下させる電圧制御回路と、複数のデータ線の各々に対し、当該データ線と走査線駆動回路により選択された走査線との交差に対応する画素の階調に応じた電圧を印加する一方、オフシーケンス期間においては各データ線に対して非点灯電圧を印加するデータ線駆動回路とを具備する。なお、本発明における「非点灯電圧」とは、ある走査線が選択された期間にデータ線に印加され得る電圧のうち、その期間において当該走査線に印加される選択電圧と同一極性の電圧をいう。また、本発明における画素は、透過率や輝度といった光学的特性が電圧の印加によって変化する各種の電気光学物質を備えた要素である。もっとも、本発明は残留電荷を除去することを目的としているから、残留電荷に起因した特性の劣化が問題となる電気光学物質を用いた電気光学装置に対して特に好適である。このような電気光学物質の典型的な例としては液晶が挙げられるが、これ以外の電気光学物質を用いた電気光学装置にも本発明は適用され得る。
【０００６】
この構成によれば、表示停止信号の入力後のオフシーケンス期間において各走査線が順次に選択され、これらの選択に際して各データ線に非点灯電圧が印加される。すなわち、画像を表示するための構成が残留電荷の除去のために兼用されるから、各画素の残留電荷を除去するための構成を画像表示のための構成とは別個に設けた場合と比較して構成の簡略化が図られる。また、この構成によれば、オフシーケンス期間において各走査線が複数回にわたって選択されるから、表示停止信号が入力された後の１垂直走査期間において１回だけ各走査線が選択される構成と比較して充分に残留電荷が除去される。一方、画像の表示時に各走査線に印加される電圧はデータ線に印加される非点灯電圧よりも大きいのが一般的である。したがって、オフシーケンス期間においても画像の表示時と同レベルの選択電圧を各走査線に印加するとすれば、各画素に依然としてある程度の電荷が残留することは避けられない。これに対し、本発明においては、オフシーケンス期間において各走査線に印加される選択電圧が経時的に低下させられるから、上記構成と比較して効率的に残留電荷を除去することができる。
【０００７】
なお、オフシーケンス期間における選択電圧の低下の態様は任意である。例えば、オフシーケンス期間を構成する複数の垂直走査期間の各々において段階的に選択電圧を低下させてもよいし、オフシーケンス期間の始点から終点にかけて連続的に選択電圧を低下させてもよい。ただし、例えば１垂直走査期間内において選択電圧を変化させると、表示領域内の各画素の位置に応じて階調が異なることになって観察者に違和感を与えかねない。したがって、本発明においては、各走査線に印加される選択電圧を垂直走査期間ごとに低下させることが望ましい。
【０００８】
本発明の望ましい態様において、電圧制御回路は、オフシーケンス期間において各走査線に印加される選択電圧のレベルを指示する制御回路と、制御回路により指示されたレベルの選択電圧を生成して走査線駆動回路に出力する電圧生成回路とを具備する。この構成によれば、オフシーケンス期間において各走査線に印加される選択電圧のレベルが制御回路からの指示に応じて適宜に調整される。もっとも、電圧制御回路の構成はこれに限られない。例えば、それぞれレベルが異なる複数種類の選択電圧を生成する回路を電圧制御回路として用い、これらの複数種類の選択電圧の何れかを走査線駆動回路により選択して各走査線に印加する構成も採用され得る。
【０００９】
本発明に係る電気光学装置は各種の電子機器の表示装置として採用され得る。この電子機器によれば、残留電荷に起因した表示品位の低下を抑えて高品位な表示が実現される。
【００１０】
また、本発明は、電気光学装置を駆動する回路としても特定される。すなわち、この駆動回路は、複数の走査線の各々を順次に選択して選択電圧を印加する回路であって、表示の停止を指示する表示停止信号が入力された後のオフシーケンス期間において各走査線を複数回にわたり選択して選択電圧を印加する走査線駆動回路と、走査線駆動回路によって各走査線に印加される選択電圧をオフシーケンス期間において時間の経過とともに低下させる電圧制御回路とを具備する。この駆動回路によれば、本発明に係る電気光学装置と同様にして、簡易な構成により効率的に残留電荷が除去される。
【００１１】
さらに、本発明は、電気光学装置の残留電荷を除去する方法としても特定される。すなわち、この駆動方法は、複数の走査線の各々を順次に選択して選択電圧を印加する一方、表示の停止を指示する表示停止信号が入力された後のオフシーケンス期間において各走査線を複数回にわたり選択して選択電圧を印加し、各走査線に印加される選択電圧をオフシーケンス期間において時間の経過とともに低下させ、複数のデータ線の各々に対し、当該データ線と選択された走査線との交差に対応する画素の階調に応じた電圧を印加する一方、オフシーケンス期間においては各データ線に対して非点灯電圧を印加する。この方法によれば、本発明に係る電気光学装置と同様にして、簡易な構成により効率的に残留電荷が除去される。
【発明を実施するための最良の形態】
【００１２】
＜Ａ：電気光学装置の構成＞
まず、電気光学物質として液晶を用いた電気光学装置に本発明を適用した形態について説明する。図１は、本実施形態に係る電気光学装置の構成を示すブロック図である。同図に示されるように、電気光学装置１０は、液晶パネル１００と制御回路４００と電圧生成回路５００とを有する。このうち液晶パネル１００は、Ｘ方向（行方向）に延在するｍ（ｍは２以上の自然数）本の走査線３１２とＹ方向（列方向）に延在するｎ（ｎは２以上の自然数）本のデータ線２１２とを有する。走査線３１２とデータ線２１２とが交差する各地点には画素１１６が形成される。したがって、これらの画素１１６は、縦ｍ行×横ｎ列のマトリクス状に配列する。図１に示されるように、各画素１１６は、二端子型スイッチング素子たるＴＦＤ（Thin Film Diode）素子２２０と、このＴＦＤ素子２２０に直列接続された液晶容量１１８とを有する。なお、本実施形態における液晶パネル１００は、電圧が印加されていないときに白色表示を行なうノーマリホワイトモードのパネルである。
【００１３】
次に、図２は、液晶パネル１００のうちデータ線２１２と走査線３１２とが交差する部分の近傍を拡大して示す図である。同図に示されるように、液晶パネル１００は、相互に対向する素子基板２００と対向基板３００とを有する。これらの基板は、図示しないシール材によって一定の間隔を保って貼り合わされている。素子基板２００と対向基板３００との間隙には、例えばＴＮ（Twisted Nematic）型の液晶１６０が封止されている。なお、素子基板２００や対向基板３００のうち液晶１６０と反対側の面には入射光を偏光させる偏光板などが貼着されるが、図２においてはその図示が省略されている。
【００１４】
上述したデータ線２１２の各々は素子基板２００のうち液晶１６０と対向する板面上に形成されている。さらに、素子基板２００の板面上には略区形状の画素電極２３４がマトリクス状に形成されており、同じく素子基板２００の板面上に形成されたＴＦＤ素子２２０を介してデータ線２１２に接続されている。各ＴＦＤ素子２２０は、図２に示されるように、データ線２１２から枝分かれした第１の導電体２２１と、第１の導電体２２１の表面を陽極酸化してなる絶縁体２２２と、画素電極２３４に接続された第２の導電体２２３とが素子基板２００側からこの順番に積層された構成となっている。したがって、各ＴＦＤ素子２２０は、電流ー電圧特性が正負双方向にわたって非線形となるダイオードスイッチング特性を有する。一方、上述した走査線３１２の各々は対向基板３００のうち液晶１６０と対向する板面上に形成されている。各走査線３１２は、素子基板２００の板面上においてＸ方向に並ぶ複数（ｎ個）の画素電極２３４と対向する帯状の電極である。図１に示した液晶容量１１８は、データ線２１２と走査線３１２との交差において、当該走査線３１２と画素電極２３４と両者の間に挟まれた液晶１６０とによって構成される。なお、素子基板２００および対向基板３００の液晶１６０側の板面はそれぞれ配向膜によって覆われているが、図２においてはその図示が省略されている。
【００１５】
図１に示されるように、各走査線３１２は走査線駆動回路３５０に接続されている。この走査線駆動回路３５０は、１行目、２行目、…、ｍ行目の各走査線３１２に対して走査信号Ｙ1、Ｙ2、…、Ｙmをそれぞれ供給する回路である。より具体的には、走査線駆動回路３５０は、合計ｍ本の走査線３１２のうち何れかを水平走査期間（１Ｈ）ごとに順次に選択し、選択した走査線３１２には選択電圧を、それ以外の走査線３１２には非選択電圧をそれぞれ印加する。このうち選択電圧は、データ線２１２に印加される電圧に拘わらずＴＦＤ素子２２０をオン状態にする電圧である。一方、非選択電圧は、データ線２１２に印加される電圧に拘わらずＴＦＤ素子２２０をオフ状態にする電圧である。一方、各データ線２１２はデータ線駆動回路２５０に接続されている。このデータ線駆動回路２５０は、走査線駆動回路３５０により選択された走査線３１２に対応する１行分の画素１１６に対し、その表示内容（階調）に応じたデータ信号Ｘ1、Ｘ2、…、Ｘnを、１列目、２列目、…、ｎ列目のデータ線２１２に対してそれぞれ出力する。なお、図１においては走査線駆動回路３５０およびデータ線駆動回路２５０が液晶パネル１００に配置された構成が例示されているが、液晶パネル１００に接続されたフレキシブル配線基板や他の配線基板（何れも図示略）に実装された構成も採用され得る。
【００１６】
図１に示される制御回路４００は、電気光学装置１０の各部を制御する回路である。この制御回路４００には、電気光学装置１０が搭載される電子機器の制御部（以下「上位制御部」という）から映像信号Ｓvが入力される。この映像信号Ｓvは、各画像の表示階調を示す画像データＤgや各種のクロック信号を含んでいる。制御回路４００は、映像信号Ｓvに含まれるクロック信号に基づいて、液晶パネル１００を水平走査するための信号を生成してデータ線駆動回路２５０に供給する一方、液晶パネル１００を垂直走査するための信号を生成して走査線駆動回路３５０に供給する。さらに、制御回路４００は、映像信号Ｓvに含まれる画像データＤgを垂直走査および水平走査に同期してデータ線駆動回路２５０に出力する。この画像データＤgは、画素１１６の階調を８段階にて指示する３ビットのデータである。具体的には、画像データＤgの３ビットが［０００］である場合に最も明るい白色の階調が指示され、画像データＤgの数値が増加するにつれて徐々に階調が低下するように指示され、画像データＤgが最大値たる［１１１］である場合に最も暗い黒色の階調が指示される。
【００１７】
また、制御回路４００には、表示の停止（すなわち画像データの供給の停止）を指示するための表示停止信号Ｓoffが上位制御部から入力される。この表示停止信号Ｓoffは、画素１１６を用いた画像の表示が実行されるべき期間（以下「通常駆動期間」という）においてはＬレベルを維持する一方、画像の表示が停止されるべきタイミング（図７において「ＯＦＦ」として示されるタイミング）が到来するとＨレベルに遷移する。具体的には、表示停止信号Ｓof fは、各画素１１６が駆動されて現に画像が表示されている状態からスタンバイ状態に移行するタイミングや、電子機器の電源がオフ状態とされたタイミングにおいてＬレベルからＨレベルに切り替えられる。
【００１８】
本実施形態では、表示停止信号ＳoffがＨレベルに遷移した後の複数の垂直走査期間（以下「オフシーケンス期間」という）において、液晶容量１１８やＴＦＤ素子２２０に蓄積された電荷を除去するための処理が実行される。さらに詳述すると、オフシーケンス期間においては、合計ｍ本の走査線３１２の各々が通常駆動期間と同様に順次に選択される一方、総てのデータ線２１２の各々に供給されるデータ信号Ｘjが、白色を指示する画像データＤg（［０００］）に対応した信号とされる。ただし、オフシーケンス期間における選択電圧は、通常駆動期間における選択電圧よりも低いレベルとされる。すなわち、通常駆動期間においては電圧±Ｖs0が選択電圧として各走査線３１２に印加されるのに対し、オフシーケンス期間においては、この電圧±Ｖs0よりも絶対値が小さい電圧±Ｖs1または電圧±Ｖs2が選択電圧として各走査線３１２に印加される。図６および図７に示されるように、電圧±Ｖs2は、電圧±Ｖs1よりも絶対値が小さい。なお、以下では、選択電圧として用いられる電圧±Ｖs0、±Ｖs1および±Ｖs2を特に区別する必要がない場合（すなわち単に走査線３１２に印加される電圧として表現される場合）には、これらを総称して「電圧±Ｖs」と表記する。また、本実施形態においては、通常駆動期間が経過した後の３つの垂直走査期間がオフシーケンス期間とされた場合を想定する。
【００１９】
電圧生成回路５００は、制御回路４００による制御のもとに、画素１１６の駆動に用いられる電圧±Ｖs（±Ｖs 0、±Ｖs1、または±Ｖs2）および電圧±Ｖnを生成する回路である。このうち電圧±Ｖsは、上述したように走査信号Ｙi（ｉは１≦ｉ≦ｍを満たす整数）における選択電圧として用いられる電圧であり、電圧生成回路５００から走査線駆動回路３５０に供給される。一方、電圧±Ｖnは、走査線駆動回路３５０において非選択電圧として用いられるほかデータ信号Ｘj（ｊは１≦ｊ≦ｎを満たす整数）の電圧としても兼用される電圧であり、走査線駆動回路３５０およびデータ線駆動回路２５０の双方に供給される。電圧＋Ｖs0、＋Ｖs1、＋Ｖs2および＋Ｖnと、電圧−Ｖs0、−Ｖs1、−Ｖs2および−Ｖnとは、それぞれ所定の基準電圧（例えば電源の低位側電位）を基準として逆極性の電圧であって絶対値が等しい。
【００２０】
次に、図３を参照して、制御回路４００および電圧生成回路５００の具体的な構成を説明する。同図に示されるように、制御回路４００は、ＣＰＵ（Central Processing Unit）４１０と信号生成回路４２０とを有する。このうち信号生成回路４２０は、上位制御部からＣＰＵ４１０を介して供給される映像信号Ｓvおよび表示停止信号Ｓoffに基づいて、画素１１６を駆動するための各種の信号を生成する回路である。以下、信号生成回路４２０により生成される信号について説明する。
【００２１】
まず、垂直走査のために走査線駆動回路３５０に供給される信号は以下の通りである。第１に、スタートパルスＤＹは、図６および図７に示されるように、各垂直走査期間（１Ｆ）の最初に出力されるパルスである。このスタートパルスＤＹは、画像データＤgの読み出しタイミングを規定するためにデータ線駆動回路２５０にも出力される。第２に、シフトクロック信号ＹＳＣＫは、垂直走査の基準となるクロック信号であり、図６に示されるように１水平走査期間に相当する周期を有する。第３に、極性指示信号ＰＯＬは、選択された走査線３１２に印加されるべき選択電圧の極性を指示する信号である。より具体的には、極性指示信号ＰＯＬがＨレベルであれば正極性の電圧＋Ｖsが選択電圧として指示される一方、極性指示信号ＰＯＬがＬレベルであれば負極性の電圧−Ｖsが選択電圧として指示される。この極性指示信号ＰＯＬは、図６および図７に示されるように、ひとつの垂直走査期間では時間軸上において前後する１水平走査期間ごとに論理レベルが反転し、かつ、時間軸上において前後する垂直走査期間の各々のうち同一の走査線３１２が選択される水平走査期間においては論理レベルが逆転する関係となっている。第４に、制御信号ＩＮＨは、各水平走査期間のうち各走査線３１２に選択電圧が印加されるべき期間を規定するための信号である。後述するように、本実施形態では各水平走査期間を時間軸上において２分割した前半期間および後半期間のうち後半期間において各走査線３１２に選択電圧が印加される。このため、制御信号ＩＮＨは各水平走査期間における後半期間にＨレベルとなる。第５に、選択指示信号Ｓselは、各走査線３１２の選択の可否を規定するための信号である。すなわち、選択指示信号ＳselがＨレベルである期間においては走査線駆動回路３５０による各走査線３１２の選択が実行される一方、選択指示信号ＳselがＬレベルに遷移すると走査線駆動回路３５０による各走査線３１２の選択が停止される。上述したように、本実施形態においては、通常駆動期間に加えてその経過後のオフシーケンス期間においても各走査線３１２の選択が実行される。このため、選択指示信号Ｓselは、図６に示されるように通常駆動期間においてＨレベルを維持するほか、図７に示されるように通常駆動期間の経過後にも３つの垂直走査期間（オフシーケンス期間）に相当する時間長にわたってＨレベルを維持し、このオフシーケンス期間の終点が到来するとＬレベルに遷移する。
【００２２】
次に、水平走査のためにデータ線駆動回路２５０に供給される信号について説明する。第１に、ラッチパルスＬＰは、図８に示されるように、各水平走査期間（１Ｈ）の最初に立ち上がるパルスである。第２に、リセット信号ＲＥＳは、同図に示されるように、各水平走査期間の前半期間の最初と後半期間の最初とに立ち上がるパルスである。第３に、交流駆動信号ＭＸは、画素１１６を交流駆動するための信号であり、同図に示されるように、極性指示信号ＰＯＬよりも位相が９０度だけ進んだ関係にある。すなわち、交流駆動信号ＭＸは、選択電圧として正極性の電圧＋Ｖsが指定される水平走査期間（すなわち極性指示信号ＰＯＬがＨレベルとなる水平走査期間）では、その前半期間においてＨレベルとなり後半期間においてＬレベルとなる一方、選択電圧として負極性の電圧−Ｖsが指定される水平走査期間（すなわち極性指示信号ＰＯＬがＬレベルとなる水平走査期間）では、その前半期間においてＬレベルとなる後半期間においてＨレベルとなる。第４に、階調制御パルスＧＣＰは、図８に示されるように、水平走査期間の前半期間および後半期間の各々において、白色または黒色を除く中間（灰色）の階調（画像データＤg［１１０］、［１０１］、［１００］、［０１１］、［０１０］、［００１］により示される階調）に対応したタイミングに立ち上がるパルスである。なお、図８においては各階調制御パルスＧＣＰが時間軸上において等間隔に配置された場合が例示されているが、実際に各階調制御パルスＧＣＰが出力されるタイミングは、液晶容量１１８の印加電圧−濃度（透過率）特性（いわゆるＶ−Ｔ特性）を考慮して選定され、必ずしも等間隔にはならない。以上が信号生成回路４２０により生成される信号の概要である。
【００２３】
図３に示されるＣＰＵ４１０は、映像信号Ｓvおよび表示停止信号Ｓoffを信号生成回路４２０に供給する一方、走査線駆動回路３５０に出力される選択電圧のレベルを電圧生成回路５００に対して指示する役割を担っている。さらに詳述すると、ＣＰＵ４１０は、オフシーケンス期間において各走査線３１２に印加されるべき選択電圧のレベルを示す電圧データＢdataを電圧生成回路５００に出力する。この電圧データＢdataの内容は、各走査線３１２に印加される選択電圧がオフシーケンス期間において時間の経過とともに低下するように定められる。すなわち、ＣＰＵ４１０は、図７に示されるように、表示停止信号ＳoffがＨレベルに遷移した後に１垂直走査期間（オフシーケンス期間を構成する最初の垂直走査期間）が経過したタイミングで電圧±Ｖs1を示す電圧データＢdataを出力する一方、その出力時点からさらに１垂直走査期間（オフシーケンス期間を構成する２番目の垂直走査期間）が経過したタイミングで電圧±Ｖs2を示す電圧データＢdataを出力する。
【００２４】
一方、電圧生成回路５００は、図３に示されるように、インタフェース（Ｉ／Ｆ）５１０とＥＰＲＯＭ（Erasable Programmable Read Only Memory）５２０と４つの電圧生成ユニット５３０（５３０ａ、５３０ｂ、５３０ｃおよび５３０ｄ）とを有する。各電圧生成ユニット５３０は、画素１１６の駆動に用いられる電圧を生成するための回路であり、インタフェース５１０からの指示に応じた電圧を生成する昇圧器を含んでいる。これら４つの電圧生成ユニット５３０のうち、図３における最上段の電圧生成ユニット５３０ａは正極性の選択電圧として用いられる電圧＋Ｖs（＋Ｖs0、＋Ｖs1または＋Ｖs2）を生成し、２段目の電圧生成ユニット５３０ｂは正極性の非選択電圧たる電圧＋Ｖnを生成し、３段目の電圧生成ユニット５３０ｃは負極性の非選択電圧たる電圧−Ｖnを生成し、最下段の電圧生成ユニット５３０ｄは負極性の選択電圧として用いられる電圧＋Ｖs（−Ｖs0、−Ｖs1または−Ｖs2）を生成する。
【００２５】
ＥＰＲＯＭ５２０は、各電圧生成ユニット５３０により生成されるべき電圧のレベルを示す電圧データＢdataを書き換え可能に記憶する不揮発性のメモリである。このＥＰＲＯＭ５２０には、電圧±Ｖsおよび電圧±Ｖnのレベルの初期値を示す電圧データＢdataのほか、電気光学装置１０が使用される環境温度に応じた電圧の補償を行なうための温度補償データが書き込まれている。一方、インタフェース５１０は、ＣＰＵ４１０から供給される電圧データＢdataまたはＥＰＲＯＭ５２０に記憶された電圧データＢdataによって示される電圧レベルを各電圧生成ユニット５３０に指示するための回路である。すなわち、画素１１６の駆動が開始されると、インタフェース５１０は、ＥＰＲＯＭ５２０に記憶された電圧データＢdataが示す電圧レベルを、図示しない温度センサにより検出された環境温度と温度補償データとに基づいて補正したうえで各電圧生成ユニット５３０に指示する。これにより通常駆動期間においては、電圧±Ｖs0が選択電圧として生成されて走査線駆動回路３５０に出力されるとともに、電圧±Ｖnが非選択電圧およびデータ信号Ｘjの電圧として生成されて走査線駆動回路３５０およびデータ線駆動回路２５０に出力される。一方、オフシーケンス期間が到来してＣＰＵ４１０から電圧データＢdataが入力されると、インタフェース５１０は、この電圧データＢdataが示す電圧レベルを電圧生成ユニット５３０ａおよび５３０ｄに指示する。これにより通常駆動期間においては、電圧±Ｖs0よりも低い電圧±Ｖs1または±Ｖs2が選択電圧として生成されて走査線駆動回路３５０に出力される。電圧±Ｖnは通常駆動期間およびオフシーケンス期間の双方にわたって共通のレベルを維持する。なお、オフシーケンス期間において電圧生成回路５００に指示される電圧レベルにも通常駆動期間と同様に温度補償が施されるようにしてもよい。以上のように、図３に示されるＣＰＵ４１０および電圧生成回路５００は、各走査線３１２に印加される選択電圧をオフシーケンス期間において時間の経過とともに低下させる電圧制御回路４００として機能する。
【００２６】
次に、図４を参照して走査線駆動回路３５０の構成を説明する。同図に示されるシフトレジスタ３５２は、走査線３１２の総本数に相当するｍビットの段数を有する。このシフトレジスタ３５２は、図６および図７に示されるように、制御回路４００から供給される選択指示信号ＳselがＨレベルを維持する期間（すなわち通常駆動期間およびオフシーケンス期間）において、１垂直走査期間の最初に供給されるスタートパルスＤＹをシフトクロック信号ＹＳＣＫによって順次にシフトすることにより転送信号Ｙs1、Ｙs2、…、Ｙsmとして出力する。何れかの転送信号ＹsiがＨレベルになると、ｉ行目の走査線３１２を選択すべき水平走査期間であることが示される。一方、制御回路４００から供給される選択指示信号ＳselがＬレベルに遷移するとシフトレジスタ３５２は転送信号Ｙsiの出力動作を停止する。例えば、選択指示信号ＳselがＬレベルに遷移するとシフトレジスタ３５２に対するスタートパルスＤＹの入力が停止される。
【００２７】
一方、電圧選択信号形成回路３５４は、転送信号Ｙsi、極性指示信号ＰＯＬおよび制御信号ＩＮＨに基づいて、各走査線３１２への印加電圧を指定する電圧選択信号ａ、ｂ、ｃおよびｄを生成する。電圧選択信号ａ、ｂ、ｃおよびｄは互いに排他的にアクティブレベル（Ｈレベル）となる。このうち電圧選択信号ａがＨレベルになると正極性の選択電圧が走査線３１２への印加電圧として指定される。同様に、電圧選択信号ｂ、ｃおよびｄがＨレベルになると、それぞれ正極性の非選択電圧、負極性の非選択電圧、および負極性の選択電圧が走査線３１２への印加電圧として指定される。本実施形態においては、上述したように各水平走査期間の後半期間（図６および図７においては「１／２Ｈ」と表記されている）において選択電圧が印加される。また、選択電圧が印加される後半期間の経過後から１垂直走査期間が経過するまでの期間（非選択期間）に印加される非選択電圧は、正極性の選択電圧が印加された後では電圧＋Ｖnであり、負極性の選択電圧が印加された後では電圧−Ｖnであって、直前の選択電圧の極性に応じて一義的に定まっている。詳述すると以下の通りである。
【００２８】
まず、電圧選択信号形成回路３５４は、表示停止信号ＳoffがＬレベルとなる通常駆動期間およびオフシーケンス期間においてシフトレジスタ３５２から出力される転送信号Ｙs1に基づいて以下のように動作する。第１に、転送信号ＹsiがＨレベルに遷移してｉ行目の走査線３１２を選択すべき水平走査期間であることが示され、さらに制御信号ＩＮＨがＨレベルに遷移して当該水平走査期間の後半期間であることが示されると、電圧選択信号形成回路３５４は、走査信号Ｙiの電圧レベルが、この後半期間において極性指示信号ＰＯＬの信号レベルに対応した極性の選択電圧となり、その後半期間の経過後に当該選択電圧に対応した極性の非選択電圧となるように、電圧選択信号ａ、ｂ、ｃおよびｄのレベルを決定する。具体的には、電圧選択信号形成回路３５４は、制御信号ＩＮＨがＨレベルとなる期間（後半期間）において、極性指示信号ＰＯＬがＨレベルであれば正極性の選択電圧（＋Ｖs）に対応する電圧選択信号ａを当該後半期間にＨレベルとし、この後半期間が経過して制御信号ＩＮＨがＬレベルに遷移すると、正極性の非選択電圧（＋Ｖn）に対応する電圧選択信号ｂをＨレベルとする。一方、電圧選択信号形成３５４は、制御信号ＩＮＨがＨレベルとなる期間において、極性指示信号ＰＯＬがＬレベルであれば負極性の選択電圧（−Ｖs）に対応する電圧選択信号ｄをＨレベルとし、その後半期間が経過して制御信号ＩＮＨがＬレベルに遷移すると、負極性の非選択電圧（−Ｖn）に対応する電圧選択信号ｃをＨレベルとする。
【００２９】
セレクタ群３５８は、１本の走査線３１２ごとに４個のスイッチ３５８１〜３５８４を有する。これらのスイッチ３５８１〜３５８４の一端は、各極性の選択電圧（電圧±Ｖs）および各極性の非選択電圧（±Ｖn）が供給される配線に接続され、他端は１本の走査線３１２に対して共通に接続されている。さらに、スイッチ３５８１〜３５８４のゲートには、それぞれ電圧選択信号ａ、ｂ、ｃおよびｄが供給される。そして、スイッチ３５８１〜３５８４の各々は、ゲートに入力される電圧選択信号ａ、ｂ、ｃおよびｄがＨレベルになると、それぞれ一端と他端との間において導通状態となる。したがって、各走査線３１２には、スイッチ３５８１〜３５８４のうち導通状態となったものを介して、選択電圧および非選択電圧の何れかが印加される。
【００３０】
次に、図６および図７を参照して、走査線駆動回路３５０から出力される走査信号Ｙiの波形について説明する。まず、通常駆動期間においては、図６に示されるように、極性指示信号ＰＯＬがＨレベルとなる水平走査期間の後半期間において走査信号Ｙiは正極性の選択電圧たる電圧＋Ｖs0とされ、その後に正極性の非選択電圧＋Ｖnに維持される。一方、この走査線３１２が次に選択される水平走査期間においては、極性指示信号ＰＯＬのレベルが前回の選択とは反転したＬレベルとなるので、当該走査線３１２への走査信号Ｙiは負極性の選択電圧たる電圧−Ｖs0とされ、その後に負極性の非選択電圧−Ｖnに維持される。また、極性指示信号ＰＯＬは水平走査期間ごとに論理レベルが反転するので、各走査線３１２に供給される走査信号Ｙiは、水平走査期間ごとに（すなわち走査線３１２の１行ごとに）極性が交互に反転する。
【００３１】
また、オフシーケンス期間における走査信号Ｙiは、図７に示されるように、制御信号ＩＮＨおよび極性指示信号ＰＯＬに基づいて通常駆動期間と同様のタイミングにて極性反転される一方、その選択電圧は通常駆動期間の選択電圧以下のレベルとされる。同図に示されるように、オフシーケンス期間のうち第１番目の垂直走査期間における走査信号Ｙiの選択電圧は、通常駆動期間と同様に電圧±Ｖs0とされる。一方、オフシーケンス期間のうち第２番目の垂直走査期間の最初に、電圧±Ｖs1を選択電圧として指定する電圧データＢdataがＣＰＵ４１０から電圧生成回路５００に入力される。したがって、この垂直走査期間の各水平走査期間においては、走査信号Ｙiの選択電圧が電圧±Ｖs0よりも低い電圧±Ｖs1とされ、その後に当該選択電圧と同極性の非選択電圧±Ｖnとされる。さらに、オフシーケンス期間のうち第３番目（最後）の垂直走査期間の最初に、電圧±Ｖs2を選択電圧として指定する電圧データＢdataが電圧生成回路５００に入力される。したがって、この垂直走査期間の水平走査期間においては、走査信号Ｙiの選択電圧がさらに低い電圧±Ｖs2とされ、その後に当該選択電圧と同極性の非選択電圧±Ｖnとされる。一方、オフシーケンス期間が経過して選択指示信号ＳselがＬレベルに遷移するとシフトレジスタ３５２による転送信号Ｙsiの出力が停止するから、電圧選択信号形成回路３５４による電圧選択信号の生成動作も停止して各走査線３１２への印加電圧は電圧Ｖcとなる。
【００３２】
次に、図５を参照してデータ線駆動回路２５０の構成を説明する。同図に示されるアドレス制御回路２５２は、画像データＤgの読み出しに用いられるアドレスＲadを生成する回路であり、水平走査期間の最初に供給されるスタートパルスＤＹによって行アドレスＲadをリセットするとともに、水平走査期間ごとに供給されるラッチパルスＬＰにより歩進させる構成となっている。表示データＲＡＭ２５４は、縦ｍ行×横ｎ列の画素１１６に対応した記憶領域を有するデュアルポートＲＡＭであり、書込側では、制御回路４００から供給される画像データＤgが制御回路４００からの書込アドレスＷadにより指定された番地に書き込まれる。ただし、オフシーケンス期間においては、総ての画素１１６に対応する画像データＤgが白表示を示す［０００］とされる。
【００３３】
次に、デコーダ２５６は、データ信号Ｘ1、Ｘ2、…、Ｘnの電圧を選択するための電圧選択信号ｅおよびｆを、表示データＲＡＭ２５４から読み出されたｎ個の画像データＤgに応じて、リセット信号ＲＥＳ、交流駆動信号ＭＸおよび階調制御パルスＧＣＰから排他的に生成する回路である。ここで、電圧選択信号ｅは電圧＋Ｖnの選択を、電圧選択信号ｆは電圧−Ｖnの選択をそれぞれ指示する。一方、セレクタ群２５８は、１列のデータ線２１２ごとに２個のスイッチ２５８１および２５８２を有する。これらのスイッチ２５８１および２５８２の一端は、それぞれ電圧＋Ｖnおよび電圧−Ｖnが供給される配線に接続され、他端は１本のデータ線２１２に対して共通に接続される。スイッチ２５８１および２５８２のゲートには、それぞれ電圧選択信号ｅおよびｆが供給される。そして、スイッチ２５８１および２５８２の各々は、ゲートに入力される電圧選択信号ｅおよびｆがＨレベルになると、それぞれ一端と他端との間において導通状態となる。したがって、各データ線２１２には、スイッチ２５８１および２５８２のうち導通状態となったものを介して、電圧＋Ｖnおよび電圧−Ｖnの何れかが印加される。
【００３４】
次に、デコーダ２５６の動作に特に着目しながら、データ線駆動回路２５０に供給されるデータ信号Ｘjの波形を説明する。図８は、デコーダ２５６に入力される画像データＤgの２進数表示と、それをデコードして得られるデータ信号Ｘjとの関係を示す図である。同図に示されるように、デコーダ２５６は、極性指示信号ＰＯＬがＨレベルである１水平走査期間において、画像データＤgが白色および黒色を除く中間階調（画像データＤg［１１０］、［１０１］、［１００］、［０１１］、［０１０］および［００１］により示される灰色の階調）を示す場合、第１に、水平走査期間の最初に供給されるリセット信号ＲＥＳによって交流駆動信号ＭＸのレベルとは反対のレベルにリセットし、第２に、階調制御パルスＧＣＰのうち当該画像データＤgに対応するものの立ち下がりにおいて交流駆動信号ＭＸと同一のレベルにセットし、第３に、水平走査期間のうち後半期間の最初に供給されるリセット信号ＲＥＳを無視し、第４に、階調制御パルスＧＣＰのうち当該画像データＤgに対応するものの立ち下がりにおいて交流駆動信号ＭＸと同一のレベルに再セットするような電圧選択信号ｅおよびｆを生成する。一方、デコーダ２５６は、極性指示信号ＰＯＬがＨレベルである水平走査期間において、画像データＤgが白色を示す［０００］であれば交流駆動信号ＭＸを反転したレベルとなるように、また、画像データＤgが黒色を示す［１１１］であれば交流駆動信号ＭＸと同一のレベルとなるように、それぞれ電圧選択信号ｅおよびｆを生成する。また、デコーダ２５６は、極性指示信号ＰＯＬがＬレベルである水平走査期間では、極性指示信号ＰＯＬがＨレベルである水平走査期間と比較して論理レベルを反転させた関係の電圧選択信号ｅおよびｆを生成する。
【００３５】
次に、図９は、ｉ行目の走査線３１２への走査信号Ｙi、これよりも１行下の走査線３１２への走査信号Ｙi+1、およびｊ列目のデータ線２１２へのデータ信号Ｘjの各波形を示す図である。なお、このデータ信号Ｘjについては、ｉ行目および（ｉ＋１）行目の走査線３１２とｊ列目のデータ線２１２との交差に配置された画素１１６を、白色表示、黒色表示、およびその中間の灰色表示とする場合についてそれぞれ示している。
【００３６】
図８および図９に示されるように、各水平走査期間のうち後半期間におけるデータ信号Ｘjは、画素１１６の階調を暗くするにつれて点灯電圧をとる期間が長くなる。ここで、点灯電圧は、選択電圧が正極性（電圧＋Ｖs）であればであれば負極性の電圧−Ｖnであり、これとは逆に選択電圧が負極性（電圧−Ｖs）であれば正極性の電圧＋Ｖnである。一方、後半期間の直前の前半期間におけるデータ信号Ｘjは、この後半期間とは電圧が逆転した関係となっている。したがって、ひとつの水平走査期間のうちデータ信号Ｘjが電圧＋Ｖnとなる時間長と電圧−Ｖnとなる時間長とは等しくなる。このため、画素１１６の階調が如何なるパターンで連続したとしても、ひとつの垂直走査期間においてデータ信号Ｘjが電圧＋Ｖnとなる時間長の累計と、電圧−Ｖnとなる時間長の累計とは互いに同一となる。このことは、非選択期間において画素１１６に印加される電圧実効値が、総ての画素１１６にわたって等しいことを意味する。この構成によれば、白色画素および黒色画素が行方向および列方向にわたって交互に配置された市松模様や、１行ごとに白色画素および黒色画素が交互に配置されたゼブラパターンなどを表示する場合に問題となる列（縦）方向のクロストークが抑えられる。なお、この縦方向のクロストークについては、例えば特開２００１−１４７６７１号公報（特に同公報の第１０図参照）にも開示されている。
【００３７】
一方、オフシーケンス期間においては画像データＤgが白表示を示す［０００］とされるから、各水平走査期間においてデータ線２１２に印加される電圧は、その期間における選択電圧と同極性の電圧（非点灯電圧）とされる。したがって、オフシーケンス期間においては、その直前の通常駆動期間において液晶容量１１８やＴＦＤ素子２２０に蓄積された電荷（残留電荷）が除去されることとなる。しかも、本実施形態においては、各走査線３１２に印加される選択電圧がオフシーケンス期間において時間の経過とともに低下させられるから、液晶容量１１８やＴＦＤ素子２２０に印加される電圧も経時的に低下していく。この構成によれば、オフシーケンス期間において選択電圧を一定とした構成と比較して、残留電荷が効率的に除去される。その一方、本実施形態においては、画素１１６を駆動するための構成が残留電荷の除去のために兼用されるから、残留電荷を除去するための構成を画素１１６の駆動のための構成と別個に設けた場合と比較して電気光学装置１０の構成が簡素化される。
【００３８】
＜Ｂ：変形例＞
上記各実施形態に対しては種々の変形が加えられ得る。具体的な変形の態様を挙げれば以下の通りである。
【００３９】
（１）上記実施形態においては、オフシーケンス期間においても通常駆動期間と同様に走査線３１２が１本ずつ選択される構成を例示したが、オフシーケンス期間において複数の走査線３１２が一括して選択される構成も採用され得る。例えば、走査線駆動回路３５０のうち電圧選択信号形成回路３５４よりも前段の構成として図１０に示す構成を採用すれば、オフシーケンス期間において４本の走査線３１２が一括的に選択され得る。同図に示すシフトレジスタ３５２は上記実施形態と同様の構成を有する回路であり、合計ｍ段（ここでは便宜的にｍ＝３２０とする）の単位回路（レジスタ）３５２ａを有する。これらの単位回路３５２ａは８０個ごとにブロックＢ1〜Ｂ2に区分されている。すなわち、第１段目から第８０段目の単位回路３５２ａはブロックＢ1に、第８１段目から第１６０段目の単位回路３５２ａはブロックＢ2に、第１６１段目から第２４０段目の単位回路３５２ａはブロックＢ3に、第２４１段目から第３２０段目の単位回路３５２ａはブロックＢ4に、それぞれ区分されている。シフトレジスタ３５２の前段にはスイッチ回路３５６が設けられている。このスイッチ回路３５６は、最上段のブロックを除くブロックＢ2ないしＢ4に対応したスイッチ３５６ａを有する。各スイッチ３５６ａの入力端子には制御回路４００からスタートパルスＤＹが供給される一方、出力端子は当該スイッチ３５６ａに対応したブロックに属する第１段目の単位回路３５２ａ（第８１段目、第１６１段目および第２４１段目の単位回路３５２ａ）に接続されている。また、各スイッチ３５６ａは、表示停止信号ＳoffがＨレベルにある場合に限ってオン状態となり、制御回路４００から入力されるスタートパルスＤＹを各ブロックの第１段目の単位回路３５２ａに出力する。なお、ブロックＢ1の前段にはスイッチ３５６ａが設けられておらず、その第１段目の単位回路３５２ａにはスタートパルスＤＹが制御回路４００から直接に入力される。
【００４０】
この構成のもと、通常駆動期間においては、表示停止信号ＳoffがＬレベルを維持するから各スイッチ３５６ａはオフ状態となる。この場合、シフトレジスタ３５２は、上記実施形態と同様に、スタートパルスＤＹをシフトクロック信号ＹＳＣＫに従って順次にシフトして転送信号Ｙs1、Ｙs2、…、Ｙs320として出力する。これに対し、オフシーケンス期間においては、表示停止信号ＳoffがＨレベルとなって各スイッチ３５６ａがオン状態となる。このため、ブロックＢ1〜Ｂ4の各々に属する第１段目の単位回路３５２ａに一括してスタートパルスＤＹが入力され、各ブロックごとにシフトクロック信号ＹＳＣＫに従ったシフトが実行されることとなる。したがって、ブロックＢ1〜Ｂ4に属するひとつの単位回路３５２ａから出力される転送信号Ｙsiが一斉にＨレベルとなる。より具体的には、１垂直走査期間のうち第１番目の水平走査期間においては第１行目、第８１行目、第１６１行目および第２４１行目の走査線３１２が選択され、第２番目の水平走査期間においては第２行目、第８２行目、第１６２行目および第２４２行目の走査線３１２が選択されるといった具合である。この結果、３２０本の走査線３１２のうち４本の走査線３１２に供給される走査信号の電圧が一斉に選択電圧となる。このようにオフシーケンス期間において複数の走査線３１２が同時に選択される構成を採用すれば、各走査線３１２を１本ずつ選択する構成と比較してオフシーケンス期間の時間長を短縮することができる。例えば、図１０に示される構成によれば、オフシーケンス期間の時間長は上記実施形態における時間長の１／４に短縮される。なお、オフシーケンス期間において同時に選択される走査線３１２の本数は任意である。例えば、総ての走査線３１２が一括して選択される構成も採用され得る。
【００４１】
（２）上記実施形態においては、３つの垂直走査期間に相当する期間をオフシーケンス期間としたが、このオフシーケンス期間の時間長は任意である。要するに、オフシーケンス期間において各走査線３１２が複数回にわたって選択される構成であれば足りる。また、上記実施形態においては、オフシーケンス期間に属する１垂直走査期間ごとに選択電圧のレベルを切り替える構成を例示したが、選択電圧を変化させるタイミングはこれに限られない。例えば、オフシーケンス期間に属する１水平走査期間ごとに選択電圧のレベルが切り替えられる構成も採用され得る。さらに、選択電圧を段階的に変化させる構成は必ずしも必要ではない。例えば、選択電圧のレベルをオフシーケンス期間における時間の経過に伴なって連続的に低下させる構成も採用され得る。
【００４２】
（３）上記実施形態においては、電圧生成回路５００によって生成される選択電圧そのものをオフシーケンス期間において変化させる構成を例示したが、走査線３１２に印加される選択電圧を低下させる構成はこれに限られない。例えば、電圧生成回路５００がそれぞれレベルが異なる複数種類の選択電圧（上記実施形態における電圧±Ｖs0、±Ｖs1および±Ｖs2）を生成する一方、オフシーケンス期間が到来すると走査線駆動回路３５０がレベルの高い選択電圧からレベルの低い選択電圧に向けて順次に走査線３１２への印加電圧を切り替える構成も採用され得る。このように、本発明においては、各走査線３１２に印加される選択電圧がオフシーケンス期間において時間の経過とともに低下させられる構成であれば足り、そのための具体的な構成の如何は不問である。
【００４３】
（４）上記実施形態においては、走査線駆動回路３５０、データ線駆動回路２５０、制御回路４００および電圧生成回路５００を別個の回路として説明したが、これらの回路の一部または全部は一体の集積回路として構成されていてもよい。また、上記実施形態においては、データ信号Ｘjが点灯電圧となる時間長を調整することによって画素１１６の階調を制御する駆動方式（いわゆるパルス幅変調方式）が採用された構成を例示したが、これ以外の駆動方式も採用され得る。例えば、データ信号Ｘjを画素１１６の階調に応じた電圧レベルとすることによって画素１１６の階調を制御する駆動方式も採用され得る。また、上記実施形態においては、能動素子としてＴＦＤ素子２２０を用いたアクティブマトリクス型の液晶パネル１００を例示したが、能動素子を用いることなく、帯状の電極の交差によって液晶１６０を挟持したパッシブマトリクス型の電気光学装置１０にも本発明は適用され得る。さらに、上記実施形態では、ＴＦＤ素子２２０がデータ線２１２に接続され、液晶容量１１８が走査線３１２に接続された構成を例示したが、これとは逆に、ＴＦＤ素子２２０が走査線３１２に接続され、液晶容量１１８がデータ線２１２に接続された構成も採用され得る。
【００４４】
（５）本発明は、液晶以外の電気光学物質を用いた電気光学装置にも適用され得る。すなわち、電流や電圧といった電気的エネルギを輝度や透過率の変化といった光学的な作用に変換する電気光学物質を用いた複数の画素を有する装置であれば本発明が適用され得る。例えば、有機ＥＬ（Electro Luminescent）や発光ポリマーなどのＯＬＥＤ（Organic Light Emitting Diode）素子を電気光学物質として用いた表示装置や、着色された液体と当該液体に分散された白色の粒子とを含むマイクロカプセルを電気光学物質として用いた電気泳動表示装置、極性が相違する領域ごとに異なる色に塗り分けられたツイストボールを電気光学物質として用いたツイストボールディスプレイ、黒色トナーを電気光学物質として用いたトナーディスプレイ、あるいはヘリウムやネオンなどの高圧ガスを電気光学物質として用いたプラズマディスプレイパネルなど各種の電気光学装置に本発明が適用され得る。
【００４５】
＜Ｃ：電子機器＞
次に、本発明に係る電気光学装置１０を表示部として備える電子機器について説明する。図１１は、上記実施形態に係る電気光学装置１０を有する携帯電話機の構成を示す斜視図である。この図に示されるように、携帯電話機１１００は、利用者により操作される複数の操作ボタン１１０２、他の端末装置から受信した音声を出力する受話口１１０４、および他の端末装置に送信される音声を入力する送話口１１０６のほかに、各種の画像を表示する電気光学装置１０を有する。
【００４６】
なお、本発明に係る電気光学装置１０が利用され得る電子機器としては、図１１に示される携帯電話機のほかにも、ノート型のパーソナルコンピュータや、液晶テレビ、ビューファインダ型（またはモニタ直視型）のビデオレコーダ、カーナビゲーション装置、ページャ、電子手帳、電卓、ワードプロセッサ、ワークステーション、テレビ電話、ＰＯＳ端末、タッチパネルを備えた機器等などが挙げられる。
【図面の簡単な説明】
【００４７】
【図１】本発明の実施形態に係る電気光学装置の全体構成を示すブロック図である。
【図２】電気光学装置のうち液晶パネルの構成を拡大して示す斜視図である。
【図３】電気光学装置のうち制御回路と電圧生成回路の構成を示すブロック図である。
【図４】電気光学装置のうち走査線駆動回路の構成を示すブロック図である。
【図５】電気光学装置のうちデータ線駆動回路の構成を示すブロック図である。
【図６】通常駆動期間における走査線駆動回路の動作を示すタイミングチャートである。
【図７】オフシーケンス期間における走査線駆動回路の動作を示すタイミングチャートである。
【図８】データ線駆動回路の動作を示すタイミングチャートである。
【図９】各画素に印加される電圧の波形を示すタイミングチャートである。
【図１０】変形例に係る走査線駆動回路の一部の構成を示すブロック図である。
【図１１】本発明に係る電子機器の一例たる携帯電話機の構成を示す斜視図である。
【符号の説明】
【００４８】
１０……電気光学装置、１００……液晶パネル、２００……素子基板、３００……対向基板、１６０……液晶、１１６……画素、１１８……液晶容量、２２０……ＴＦＤ素子、２１２……データ線、２３４……画素電極、２５０……データ線駆動回路、２５４……表示データＲＡＭ、２５６……デコーダ、２５８，３５８……セレクタ群、３１２……走査線、３５０……走査線駆動回路、３５２……シフトレジスタ、３５２ａ……単位回路、３５４……電圧選択信号形成回路、４００……制御回路、４１０……ＣＰＵ、４２０……信号生成回路、５００……電圧生成回路、５１０……インタフェース、５２０……ＥＰＲＯＭ、５３０……電圧生成ユニット、Ｙi……走査信号、Ｘj……データ信号、Ｄg……画像データ、Ｓoff……表示停止信号、Ｓsel……選択指示信号、Ｓv……映像信号。
【図１】
2005208261.tif 000003
【図２】
2005208261.tif 000004
【図３】
2005208261.tif 000005
【図４】
2005208261.tif 000006
【図５】
2005208261.tif 000007
【図６】
2005208261.tif 000008
【図７】
2005208261.tif 000009
【図８】
2005208261.tif 000010
【図９】
2005208261.tif 000011
【図１０】
2005208261.tif 000012
【図１１】
2005208261.tif 000013